(57)【要約】【課題】大容量ＩＣメモリにＲＡＩＤ書き込みにおけるパリティ情報を記録することにより、高速なデータの記録／再生を可能とする情報記録装置を提供する。【解決手段】ＩＣメモリを設けた光ディスクを、情報記録装置に配備された光ディスクドライブ４０４〜４０７に個別にセットする。この情報記録装置では、記録される入力データ４０１が外部の情報処理装置より、ＲＡＩＤ書き込み用データ生成手段４０２に入力され、この入力データは前記手段４０２でデータストライプ処理が施されてＲＡＩＤ書き込み用データとなり、このデータが上記光ディスクドライブに送られる。これらのドライブでは、光ディスクにＲＡＩＤデータを書き込む処理が実行される。また、上記手段４０２からＲＡＩＤデータ生成に関する情報がデータ格納手段４０３に送られ、ここに一時的に格納される。ＲＡＩＤデータの書き込みが終了したのち、データ格納手段４０３に格納されたＲＡＩＤデータ生成に関する情報等が各ドライブ４０４〜４０７に送られ、それぞれの光ディスクのＩＣメモリに記録される。【選択図】　　　　図４
2004021377.tif 000002
【特許請求の範囲】
【請求項１】
ＩＣメモリを備えた光ディスクのディスクメディア部分に対して情報の記録／再生を行う第１の情報記録／再生手段と、前記光ディスクに設けられたＩＣメモリに対して情報の記録／再生を行う第２の情報記録／再生手段とを有するドライブを複数備えるとともに、
該複数のドライブを並列的に駆動制御しつつデータストライピング処理を行うＲＡＩＤコントローラと、
ＲＡＩＤ書き込みの情報をＩＣメモリに記録する記録手段と
を備えたことを特徴とする情報記録装置。
【請求項２】
データストライピング処理されたデータのパリティを計算するパリティ計算手段をさらに備え、
計算されたパリティ情報を光ディスク上に配置されたＩＣメモリに記録することを特徴とする請求項１に記載の情報記録装置。
【請求項３】
前記複数のドライブのうちの１つを選択する選択手段と、
選択されたドライブにある光ディスク上のＩＣメモリにパリティデータを書き込み、残りのドライブにある光ディスクに対してストライピング処理されたデータを書き込むデータ書き込み制御手段と
をさらに設けたことを特徴とする請求項１または２に記載の情報記録装置。
【発明の詳細な説明】
【０００１】
【発明の属する技術分野】
本発明は、光ディスクを用いた情報記録装置に関し、特に、光ディスク上にＩＣメモリを設けたディスクを用いてＲＡＩＤ書き込みを行う情報記録装置に関するものである。本発明の応用分野としては、光ディスクの格納ボックスや搬送手段等を備えた光ディスクライブラリのような、大規模な情報記録装置が挙げられる。
【０００２】
【従来の技術】
近年、情報の記録手段として光ディスクが広く一般に利用されている。従来、再生専用であった光ディスクでは、利用者が自己の情報を記録／再生できるＣＤ−Ｒや、書き換えも可能なＣＤ−ＲＷなどの新しいディスクメディアが普及している。光ディスクはリムーバブルであり、簡単に持ち運ぶことができるといった利点がある。しかしながら、ハードディスクと比較すると、データの記録・再生に時間がかかるといった欠点もある。このような欠点を補うため、データストライピングによりデータの記録・再生速度を向上させることが提案されている。
【０００３】
ところが、ＲＡＩＤ書き込みを実施する場合（ＲＡＩＤ：Ｒｅｄｕｎｄａｎｔ　Ａｒｒａｙｓ　ｏｆ　Ｉｎｅｘｐｅｎｓｉｖｅ　（ｏｒ　Ｉｎｄｅｐｅｎｄｅｎｔ）　Ｄｉｓｋｓ）　、複数のメディアを必要とするため、その管理が煩雑になるといった問題があった。そこで、メディア上にＩＣメモリを設けた光ディスクを用い、ＲＡＩＤ書き込みを実施することで、メディアの管理情報についてはすべてＩＣメモリに記録することができ、その情報を利用することで、メディア管理を容易にすることができる。また、最近の半導体集積技術の進歩により大容量のＩＣメモリが安価に実現できるようになってきている。
【０００４】
ところで、光ディスクにＩＣメモリを設けた例として、（１）特開平５−１０９２３６号公報に記載された「情報記録媒体及びその保管装置」や、（２）特開平５−７３７３５号公報に開示された「記憶媒体」がある。
【０００５】
上記（１）の発明の目的は、媒体を選択するのが容易で、かつ必要な書誌的事項を記憶できる情報記録媒体およびその保管装置を提供するものである。そしてその構成は、光及び／又は磁気を利用して情報の記録／再生を行う情報記録媒体において、当該媒体本体または当該媒体を保持するケースにＩＣメモリによる記憶装置を設け、当該媒体に記録されている情報に関する書誌的事項を記憶可能としたことを特徴とする情報記録媒体である。また、この発明の構成は、上記情報記録媒体を保管するための装置であって、当該媒体を保持する部分の少なくとも一部に、当該媒体に具備されているＩＣメモリの内容を読み取るための端子を設けたことを特徴とする保管装置である。
【０００６】
上記（２）の発明の目的はファイル名、レビジョン、日付など、必要な情報を半導体メモリから情報を読み出して記憶媒体上の液晶表示器に表示することにある。そしてその構成は、データ保持用電池によってバックアップされた半導体メモリ対して情報処理装置からのデータの書き込み及び読み出しが可能であるとともに、前記情報処理装置に装着可能なカード形の容器に前記データ保持用電池及び前記半導体メモリを収納した記憶媒体であって、液晶表示器と、前記半導体メモリからファイル名などを読み出して前記液晶表示器に表示させる表示制御回路とを具備することを特徴とする記憶媒体である。
【０００７】
しかしながら、上記（１），（２）に係る発明の基本的な構成は、光ディスク本体を収納するケースあるいはカートリッジへのＩＣメモリの設置を前提としたもので、光ディスクをＲＡＩＤ書き込みに用いるものではない。
【０００８】
また、ＲＡＩＤ書き込みにおけるパリティ情報をＩＣメモリに書き込む発明として、特開平７−１５２４９９号公報に開示された「ディスクアレイ装置におけるパリティ格納方法、障害回復方法およびディスクアレイ装置」がある。しかしながら、この発明は光ディスク上に備えたＩＣメモリへの書き込みを考慮したものではない。
【０００９】
さらに、光ディスクをＲＡＩＤ書き込みに利用するものとして、特開平１１−２９６９５１号公報に開示された「ライブラリ情報記憶装置」がある。これは、ＲＡＩＤ書き込みを実施した光ディスクをひとつのグループとしてまとめて搬送・格納することで、利便性を図ったものであるが、本発明とは違ってＩＣメモリを利用して利便性を図るものではない。
【００１０】
【発明が解決しようとする課題】
本発明は従来技術の上記事情に鑑みなされたもので、その目的は、大容量のＩＣメモリに、ＲＡＩＤ書き込みにおけるパリティ情報を記録することによって、より高速なデータの記録／再生を可能とする情報記録／再生装置を提供することにある。
【００１１】
【課題を解決するための手段】
請求項１に係る発明は、ＩＣメモリを備えた光ディスクのディスクメディア部分に対して情報の記録／再生を行う第１の情報記録／再生手段と、前記光ディスクに設けられたＩＣメモリに対して情報の記録／再生を行う第２の情報記録／再生手段とを有するドライブを複数備えるとともに、該複数のドライブを並列的に駆動制御しつつデータストライピング処理を行うＲＡＩＤコントローラと、ＲＡＩＤ書き込みの情報をＩＣメモリに記録する記録手段とを備えたことを特徴とする情報記録装置である。
【００１２】
請求項２に係る発明は、データストライピング処理されたデータのパリティを計算するパリティ計算手段をさらに備え、計算されたパリティ情報を光ディスク上に配置されたＩＣメモリに記録することを特徴とする請求項１に記載の情報記録装置である。
【００１３】
請求項３に係る発明は、前記複数のドライブのうちの１つを選択する選択手段と、選択されたドライブにある光ディスク上のＩＣメモリにパリティデータを書き込み、残りのドライブにある光ディスクに対してストライピング処理されたデータを書き込むデータ書き込み制御手段とを、さらに設けたことを特徴とする請求項１または２に記載の情報記録装置である。
【００１４】
【発明の実施の形態】
以下、本発明の実施の形態を、図面を参照しながら説明する。
図１はＩＣメモリ１０６，１０７，１０８，１０９を設けた光ディスク１０１の模式的平面図である。この光ディスクでは、ディスク中心１０５に円孔１０４があり、その周囲に情報の記録／再生に利用しない領域１０３が設けてある。さらにこの領域１０３周囲に、情報の記録／再生を行うメディア部分（情報記録領域）１０２が配置されている。ＩＣメモリ１０６〜１０９は情報記録／再生に利用しない領域１０３に、精確なディスク回転を妨げないように、ディスク中心１０５から等距離の位置に、かつ同一角度ピッチ（９０°）で配置されている。
【００１５】
図２は光ディスクドライブの全体構成を示す模式的正面図である。またこの図は、上記光ディスク１０１と同一構造の光ディスク２０１上に設置してあるＩＣメモリ２０２，２０３に対する情報の記録／再生方法についても示している。光ディスク２０１は、ドライブ内に組み込まれた状態で、かつ静止した状態にある。そして、ＩＣメモリ２０２，２０３から情報（データ）を読み取り、またはデータを書き込むための入出力端子２０４，２０５がＩＣメモリ２０２，２０３に接しており、これによってＩＣメモリに対する情報の記録／再生を行うことができる。この場合、情報の記録／再生は、一時記憶手段２０６を介してドライブ外部の情報処理装置２０８（例えばパソコンなど）によって行われる。なお、符号２０７は記録／再生ヘッドである。
【００１６】
図３は図２と同様に、光ディスクドライブの全体構成を示す模式的正面図である。また、この図は上記光ディスク１０１と同一構造の光ディスク３０１のメディア部分（図１の符号１０２に相当する）に対する情報の記録／再生方法についても示している。ドライブ内に組み込まれた光ディスク３０１は回転駆動されており、このとき、ＩＣメモリ３０２，３０３とのデータの入出力端子３０４，３０５は、ＩＣメモリ３０２，３０３の上方に移動していて、これらＩＣメモリには接触しておらず、したがって光ディスク３０１の回転を妨げることはない。
【００１７】
このとき記録／再生ヘッド３０７はディスク表面に近づき、光ディスク３０１への情報書き込み動作（記録動作）、または光ディスク３０１に記録された情報の読み取り動作（再生動作）を実施する。この場合、情報を記録するときには、一時記憶手段３０６からの情報が情報処理装置３０８を介して光ディスク３０１のメディア部分に送られ、情報を再生するときには、上記メディア部分の情報がこの情報処理装置３０８を介して一時記憶手段３０６に送られる。
【００１８】
以上の図２、図３に示した構成・方法により、ＩＣメモリおよび、光ディスクのメディア部分に対する情報の記録／再生が可能となる。
【００１９】
第１の実施の形態
次に、このようなドライブを複数用いて、ＲＡＩＤ書き込みを実施する請求項１に係る実施の形態について、図４をもとに説明する。この図は、情報記録装置（ＲＡＩＤ書き込み装置）の構成を示すブロック図である。
【００２０】
図４において、記録される入力データ４０１が、パソコンなどの外部の情報処理装置より、ＲＡＩＤ書き込み用データ生成手段４０２に入力される。この入力データは、例えばデータストライプ処理が施されてＲＡＩＤ書き込み用データとなり、このデータが４つの光ディスクドライブ４０４，４０５，４０６，４０７に送られる。これらのドライブでは、光ディスクメディアにＲＡＩＤデータを書き込む処理が実行される。
【００２１】
一方、ＲＡＩＤ書き込み用データ生成手段４０２から、ＲＡＩＤデータ生成に関する情報がデータ格納手段４０３に送られ、一時的に格納される。ＲＡＩＤデータの書き込みが終了したのち、データ格納手段４０３に格納されたＲＡＩＤデータ生成に関する情報等が各ドライブ４０４〜４０７に送られ、それぞれの光ディスクに配置されたＩＣメモリに記録される。
【００２２】
第２の実施の形態
請求項２に係る発明の実施の形態について説明する。ＲＡＩＤ構成をとる場合、データの信頼性を高めるため、冗長データとしてパリティデータを生成し、記録することがよくある。パリティデータを他のデータと同じように光ディスクに書き込むことも可能ではあるが、データストライピング処理を実施して分割されたデータ間のパリティ演算を実施する必要があるため、パリティデータの書き込みに若干の遅延が生じることになる。
【００２３】
そこで、光ディスクよりも高速に記録／再生が可能なＩＣメモリに対してパリティデータを書き込むことで、より高速なＲＡＩＤ書き込みの実行が可能なシステムを構築することができる。
【００２４】
図５は情報記録装置（ＲＡＩＤ書き込み装置）の構成を示すブロック図である。記録される入力データ５０１が、パソコンなどの外部の情報処理装置から、ＲＡＩＤ書き込み用データ生成手段５０２に入力される。入力データは、ＲＡＩＤ書き込み用データとして、データストライピング処理を実施し、元の入力データを３つのデータに分割する処理を行う。このストライピング処理を施したデータは３つのドライブ５０４，５０５，５０６に送られ、光ディスクメディアに書き込まれる。また、同時にパリティ演算手段５０８にもストライピング処理を施したデータが送られ、それらのパリティが算出され、パリティデータ５０９は、残りのドライブ５０７に送られ、光ディスク上に配置したＩＣメモリに記録される。
【００２５】
ここで、ＩＣメモリへの記録には、光ディスクへの書き込みよりも、パリティ演算の分だけ遅延が生じる。しかし、光ディスクの書き込み速度と比較してＩＣメモリへの書き込み速度は非常に高速なため、パリティ演算による遅延があったとしても、その影響を最小限に抑えることができ、光ディスクにパリティデータを書き込む場合よりも、高速なデータ記録を実現することができる。
【００２６】
請求項１に係る発明と同様に、ＲＡＩＤ生成に関する情報は、データ格納手段５０３に一旦保存され、ＲＡＩＤデータの書き込みが終了したのち、ストライピング処理を施したデータを書き込んだ３つのドライブ５０４〜５０６に送られ、それぞれの光ディスク上に配置されたＩＣメモリに記録される。
【００２７】
第３の実施の形態
次に、請求項３に係る発明の実施の形態について説明する。図６、図７は情報記録装置（ＲＡＩＤ書き込み装置）の構成を示すブロック図である。これらの図において、記録される入力データ６０１が、パソコンなどの外部の情報処理装置からＲＡＩＤ書き込み用データ生成手段６０２に入力される。入力データは、ＲＡＩＤ書き込み用データとして、データストライピング処理を実施し、元の入力データを３つのデータに分割する処理を行う。このデータは、ドライブ選択手段６１０に送られると同時に、パリティ演算手段６０８にも送られる。計算されたパリティデータ６０９は、ストライピングデータと同じくドライブ選択手段６１０に送られる。
【００２８】
ドライブ選択手段６１０では、４つのドライブ６０４〜６０７のうち、どれにパリティデータを書き込むかを選択でき、図６では、１番上に配置したドライブ６０４にパリティデータを送り、残りの３つのドライブ６０５〜６０７にデータストライピング処理されたデータを送る。同様に図７では、ドライブ選択手段６１０において、上から２番目のドライブ６０５をパリティデータ書き込み用として選択する。なお図６、図７において符号６０３は、ＲＡＩＤ書き込み用データ生成手段６０２からデータを格納するデータ格納手段である。
【００２９】
このように、ドライブ選択手段６１０を介してパリティ書き込み用のドライブを順次選択することにより、光ディスク上のＩＣメモリを有効に活用することができる。
【００３０】
本実施の形態では、４つのドライブ６０４〜６０７を順次選択することで、ひとつの光ディスクに書き込む容量が６４０ＭＢとすると、記録できる最大の入力データの容量は、６４０ＭＢ×４＝２５６０ＭＢであり、そのとき、パリティ書き込みに必要なＩＣメモリの容量は、各ディスク当たり６４０ＭＢ／４＝１６０ＭＢである。ドライブ数を増やせば、光ディスク上のＩＣメモリの容量はより少なくてすむことになり、安価なＩＣメモリ付き光ディスクを提供することも可能となる。
【００３１】
なお、ＲＡＩＤデータ生成に関する情報については図６、図７ともＲＡＩＤ書き込み用データ生成手段６０２からデータ格納手段６０３に送られ、一時保存され、ＲＡＩＤデータの書き込みが終了したのち、ドライブ選択手段６１０に送られる。ドライブ選択手段は適切なドライブを選択し、ＲＡＩＤデータ生成に関する情報を各ドライブに送信し、そのデータを受け取ったドライブでは、光ディスク上に配置したＩＣメモリにデータを記録する。
【００３２】
【発明の効果】
以上の説明で明らかなように、本発明によれば以下の効果が得られる。
（１）請求項１の発明による効果
請求項１の情報記録装置は、ＲＡＩＤ書き込みを行った複数の光ディスクに設けられたＩＣメモリにＲＡＩＤ書き込みの情報を記録するので、光ディスクの管理を容易にすることができる。
【００３３】
（２）請求項２の発明による効果
請求項２の情報記録装置は、ストライピングデータのパリティ情報を、光ディスク上に配置されたＩＣメモリに記録することができるので、より高速なデータの書き込みを実現することができる。
【００３４】
（３）請求項３の発明による効果
請求項３の情報記録装置は、パリティデータを書き込む光ディスクの選択手段を備えているので、光ディスク上に配置されたＩＣメモリを有効に利用することができる。
【図面の簡単な説明】
【図１】ＩＣメモリを設けた光ディスクの模式的平面図である。
【図２】図１の光ディスクを用いる光ディスクドライブの全体構成を示す模式的正面図であり、光ディスク上のＩＣメモリに対する情報の記録／再生方法についても示している。
【図３】図１と同様の光ディスクを用いる光ディスクドライブの全体構成を示す模式的正面図であり、光ディスクのメディア部分に対する情報の記録／再生方法についても示している。
【図４】本発明の第１の実施の形態に係るもので、図２または図３の光ディスクドライブを複数用いる情報記録装置（ＲＡＩＤ書き込み装置）の構成を示すブロック図であり、ＲＡＩＤ書き込み方法をも示している。
【図５】本発明の第２の実施の形態に係るもので、情報記録装置の構成およびその動作例を示すブロック図である。
【図６】本発明の第３の実施の形態に係るもので、情報記録装置の構成およびその動作例を示すブロック図である。
【図７】図６の情報記録装置の別の動作例を示すブロック図である。
【符号の説明】
１０１：光ディスク
１０２：メディア部分
１０３：領域
１０４：円孔
１０５：ディスク中心
１０６〜１０９：ＩＣメモリ
２０１：光ディスク
２０２，２０３：ＩＣメモリ
２０４，２０５：入出力端子
２０６：一時記憶手段
２０７：記録／再生ヘッド
２０８：ドライブ外部の情報処理装置
３０１：光ディスク
３０２，３０３：ＩＣメモリ
３０４，３０５：入出力端子
３０６：一時記憶手段
３０７：記録／再生ヘッド
３０８：情報処理装置
４０１：入力データ
４０２：ＲＡＩＤ書き込み用データ生成手段
４０３：データ格納手段
４０４〜４０７：光ディスクドライブ
５０１：入力データ
５０２：ＲＡＩＤ書き込み用データ生成手段
５０３：データ格納手段
５０４〜５０７：光ディスクドライブ
５０８：パリティ演算手段
５０９：パリティデータ
６０１：入力データ
６０２：ＲＡＩＤ書き込み用データ生成手段
６０３：データ格納手段
６０４〜６０７：光ディスクドライブ
６０８：パリティ演算手段
６０９：パリティデータ
６１０：ドライブ選択手段
【図１】
2004021377.tif 000003
【図２】
2004021377.tif 000004
【図３】
2004021377.tif 000005
【図４】
2004021377.tif 000006
【図５】
2004021377.tif 000007
【図６】
2004021377.tif 000008
【図７】
2004021377.tif 000009